(57)【要約】【課題】カブリ及びゴーストの発生を防止した電子写真用トナー及び現像装置を提供すること。【解決手段】トナーを静電潜像担持体上に搬送して、静電潜像担持体上の静電潜像を現像する弾性現像ローラ、及び前記弾性現像ローラ上に押当てられ、トナーを薄層状に形成するドクターブレードとを具備し、前記ドクターブレードの前記弾性現像ローラへの押当て圧が０．１〜０．２ＭＰａであり、かつ曲げ角が６０〜１００°である現像装置に使用するための非磁性一成分フルカラートナーであって、ポリエステル樹脂を主成分とする結着樹脂、着色剤及び帯電制御剤を含有し、前記帯電制御剤は、サリチル酸誘導体の金属塩（Ａ）とベンジル酸誘導体の金属塩（Ｂ）の質量比（Ａ／Ｂ）が１未満である混合物を含むことを特徴とする。【選択図】  図１
2007079272.tif 000002
【特許請求の範囲】
【請求項１】
トナーを静電潜像担持体上に搬送して、静電潜像担持体上の静電潜像を現像する弾性現像ローラ、及び前記弾性現像ローラ上に押当てられ、トナーを薄層状に形成するドクターブレードとを具備し、前記ドクターブレードの前記弾性現像ローラへの押当て圧が０．１〜０．２ＭＰａであり、かつ曲げ角が６０〜１００°である現像装置に使用するための非磁性一成分フルカラートナーであって、ポリエステル樹脂を主成分とする結着樹脂、着色剤及び帯電制御剤を含有し、前記帯電制御剤は、サリチル酸誘導体の金属塩（Ａ）とベンジル酸誘導体の金属塩（Ｂ）の質量比（Ａ／Ｂ）が１未満である混合物を含むことを特徴とする非磁性一成分フルカラートナー。
【請求項２】
ポリエステル樹脂を主成分とする結着樹脂、着色剤及び帯電制御剤を含有し、前記帯電制御剤は、サリチル酸誘導体の金属塩（Ａ）とベンジル酸誘導体の金属塩（Ｂ）の質量比（Ａ／Ｂ）が１未満である混合物を含む非磁性一成分フルカラートナーを用いて現像を行う現像装置であって、トナーを静電潜像担持体上に搬送して、静電潜像担持体上の静電潜像を現像する弾性現像ローラ、及び前記弾性現像ローラ上に押当てられ、トナーを薄層状に形成するドクターブレードとを具備し、前記ドクターブレードの前記弾性現像ローラへの押当て圧が０．１〜０．２ＭＰａであり、かつ曲げ角が６０〜１００°であることを特徴とする現像装置。
【請求項３】
トナーを静電潜像担持体上に搬送して、静電潜像担持体上の静電潜像を現像する弾性現像ローラ、及び前記弾性現像ローラ上に押当てられ、トナーを薄層状に形成するドクターブレードとを具備し、前記ドクターブレードの前記弾性現像ローラへの押当て圧が０．１〜０．２ＭＰａであり、かつ曲げ角が６０〜１００°である現像装置に使用するための非磁性一成分黒トナーであって、ポリエステル樹脂を主成分とする結着樹脂、着色剤及び帯電制御剤を含有し、前記帯電制御剤は、ベンジル酸誘導体の金属塩（Ｂ）とモノアゾ誘導体染料（Ｃ）の質量比（Ｂ／Ｃ）が１．２５未満である混合物を含むことを特徴とする非磁性一成分黒トナー。
【請求項４】
ポリエステル樹脂を主成分とする結着樹脂、着色剤及び帯電制御剤を含有し、前記帯電制御剤は、ベンジル酸誘導体の金属塩（Ｂ）とモノアゾ誘導体染料（Ｃ）の質量比（Ｂ／Ｃ）が１．２５未満である混合物を含む非磁性一成分黒トナーを用いて現像を行う現像装置であって、トナーを静電潜像担持体上に搬送して、静電潜像担持体上の静電潜像を現像する弾性現像ローラ、及び前記弾性現像ローラ上に押当てられ、トナーを薄層状に形成するドクターブレードとを具備し、前記ドクターブレードの前記弾性現像ローラへの押当て圧が０．１〜０．２ＭＰａであり、かつ曲げ角が６０〜１００°であることを特徴とする現像装置。
【発明の詳細な説明】
【技術分野】
【０００１】
本発明は、電子写真用トナー及び現像装置及に係り、特に複数の帯電制御剤の組合せを含む電子写真用トナー、及びこの電子写真用トナーを用いる現像装置に関する。
【背景技術】
【０００２】
電子写真方式による画像形成は、一般に、静電潜像をトナーにより現像して可視化し、現像により得られたトナー像を用紙に転写することにより行われる。このような画像形成プロセスにおいて、現像工程は、トナーと、トナーに電荷を付与し、磁力によりトナーを静電潜像に搬送するためのキャリアとを含む二成分トナーを用いた二成分磁気ブラシ現像法が使用されてきた。この二成分磁気ブラシ現像法では、キャリアを用いるため、トナー濃度の制御、混合、攪拌等のための機構が必要であり、また現像ローラに磁石を用いるため、現像装置が複雑となり大型化するという問題がある。
【０００３】
そこで、キャリア及び磁石を用いない非磁性一成分現像法が使用されるようになった。  
しかし、非磁性一成分現像法は、キャリアを使用しないので、トナーの帯電制御のため、トナーが帯電制御剤を含むことが必要となる。帯電制御剤としては、これまで様々な物質が使用されてきたが、１種類の帯電制御剤を用いたのでは、満足し得る帯電特性を得ることができないため、２種類の帯電制御剤を用いることが提案されている。
【０００４】
一方、トナーに用いる結着樹脂として、特に多色画像形成用には、透明性に優れたポリエステル樹脂が使用されるが、ポリエステル樹脂は親水基を有するため、耐湿性が低く、トナーの帯電性を低下させてしまう。そのため、ポリエステル樹脂を結着樹脂として含むトナーを用いて画像形成を行うと、特に高温・高湿下では、カブリが発生し、高品質の画像が得られないという問題があった。
【０００５】
以上の問題を解決するため、例えば、帯電制御剤としてクロムモノアゾ染料と鉄モノアゾ染料の混合物を用いて摩擦帯電性を向上させる例（例えば、特許文献１参照）、帯電制御剤としてサリチル酸誘導体金属塩とクロムモノアゾ染料の混合物を用いてカブリを低減する例（例えば、特許文献２参照）、帯電制御剤としてサリチル酸誘導体金属塩とベンジル酸誘導体金属塩を用いるとともにその混合比を１以上とすることにより帯電の立ち上がり性を向上させ、ゴースト・カブリを低減する例（例えば、特許文献３参照）等が知られている。
【０００６】
しかし、これらの従来の２種類の帯電制御剤を用いる例では、必ずしも満足し得る帯電性能を得るには到っておらず、より優れた帯電性能、特にカブリやゴーストを防止することの可能な帯電制御剤が望まれていた。
【特許文献１】特開平５−５３３７６号公報
【特許文献２】特開平２−１５４２７７号公報
【特許文献３】特開平１０−３１２０８９号公報
【発明の開示】
【発明が解決しようとする課題】
【０００７】
本発明は、以上の事情の下になされ、カブリ及びゴーストの発生を防止した電子写真用トナー及び現像装置を提供することを目的とする。
【課題を解決するための手段】
【０００８】
上記課題を解決するため、本発明者らは、鋭意検討を重ねた結果、帯電制御剤の組合せによる帯電性能の改善、特にカブリ及びゴーストの制御は、帯電制御剤の種類のみにより得られるものではなく、帯電制御剤の混合比、現像プロセスや現像装置のパラメーター、特にドクターブレードの押当て圧及び曲げ角と密接な関係があることを見出した。本発明は、このような知見に基づくものである。
【０００９】
第１の発明は、トナーを静電潜像担持体上に搬送して、静電潜像担持体上の静電潜像を現像する弾性現像ローラ、及び前記弾性現像ローラ上に押当てられ、トナーを薄層状に形成するドクターブレードとを具備し、前記ドクターブレードの前記弾性現像ローラへの押当て圧が０．１〜０．２ＭＰａであり、かつ曲げ角が６０〜１００°である現像装置に使用するための非磁性一成分フルカラートナーであって、ポリエステル樹脂を主成分とする結着樹脂、着色剤及び帯電制御剤を含有し、前記帯電制御剤は、サリチル酸誘導体の金属塩（Ａ）とベンジル酸誘導体の金属塩（Ｂ）の質量比（Ａ／Ｂ）が１未満である混合物を含むことを特徴とする非磁性一成分フルカラートナーを提供する。
【００１０】
第２の発明は、ポリエステル樹脂を主成分とする結着樹脂、着色剤及び帯電制御剤を含有し、前記帯電制御剤は、サリチル酸誘導体の金属塩（Ａ）とベンジル酸誘導体の金属塩（Ｂ）の質量比（Ａ／Ｂ）が１未満である混合物を含む非磁性一成分フルカラートナーを用いて現像を行う現像装置であって、トナーを静電潜像担持体上に搬送して、静電潜像担持体上の静電潜像を現像する弾性現像ローラ、及び前記弾性現像ローラ上に押当てられ、トナーを薄層状に形成するドクターブレードとを具備し、前記ドクターブレードの前記弾性現像ローラへの押当て圧が０．１〜０．２ＭＰａであり、かつ曲げ角が６０〜１００°であることを特徴とする現像装置を提供する。
【００１１】
第３の発明は、トナーを静電潜像担持体上に搬送して、静電潜像担持体上の静電潜像を現像する弾性現像ローラ、及び前記弾性現像ローラ上に押当てられ、トナーを薄層状に形成するドクターブレードとを具備し、前記ドクターブレードの前記弾性現像ローラへの押当て圧が０．１〜０．２ＭＰａであり、かつ曲げ角が６０〜１００°である現像装置に使用するための非磁性一成分黒トナーであって、ポリエステル樹脂を主成分とする結着樹脂、着色剤及び帯電制御剤を含有し、前記帯電制御剤は、ベンジル酸誘導体の金属塩（Ｂ）とモノアゾ誘導体染料（Ｃ）の質量比（Ｂ／Ｃ）が１．２５未満である混合物を含むことを特徴とする非磁性一成分黒トナーを提供する。
【００１２】
第４の発明は、ポリエステル樹脂を主成分とする結着樹脂、着色剤及び帯電制御剤を含有し、前記帯電制御剤は、ベンジル酸誘導体の金属塩（Ｂ）とモノアゾ誘導体染料（Ｃ）の質量比（Ｂ／Ｃ）が１．２５未満である混合物を含む非磁性一成分黒トナーを用いて現像を行う現像装置であって、トナーを静電潜像担持体上に搬送して、静電潜像担持体上の静電潜像を現像する弾性現像ローラ、及び前記弾性現像ローラ上に押当てられ、トナーを薄層状に形成するドクターブレードとを具備し、前記ドクターブレードの前記弾性現像ローラへの押当て圧が０．１〜０．２ＭＰａであり、かつ曲げ角が６０〜１００°であることを特徴とする現像装置を提供する。
【発明の効果】
【００１３】
本発明によると、所定の混合比の２種類の帯電制御剤の混合物を含むトナーを、ドクターブレードの押当て圧及び曲げ角を所定の値に規定した現像装置に用いることにより、カブリ及びゴーストの発生を防止した優れた画質の画像形成を行うことが可能である。
【発明を実施するための最良の形態】
【００１４】
以下、発明を実施するための最良の形態について説明する。
【００１５】
本発明の第１の実施形態に係る電子写真用トナーは、ポリエステル樹脂を主成分とする結着樹脂、着色剤及び帯電制御剤を含有する。帯電制御剤は、サリチル酸誘導体の金属塩とベンジル酸誘導体の金属塩の混合物から構成される。
【００１６】
サリチル酸誘導体の金属塩は、例えば下記式（１）により表される化合物である。  
【化１】
2007079272.tif 000003
【００１７】
（式中、Ｒ１、Ｒ２、Ｒ３は、それぞれ独立に水素原子、アルキル基又はアリル基を示し、Ｍ１は、２価の金属を示す。）
このようなサリチル酸誘導体の金属塩の具体例として、Ｅ−８４（商品名：オリエント化学工業社製／３，５−ジ−tert−ブチルサリチル酸亜鉛）を挙げることができる。
【００１８】
ベンジル酸誘導体の金属塩は、例えば下記式（２）により表される化合物である。  
【化２】
2007079272.tif 000004
【００１９】
（式中、Ｍ２は、アルカリ金属を示す。）
このようなベンジル酸誘導体の金属塩の具体例として、ＬＲ−１４７（商品名：日本カーリット社製／ホロビス（１，１−ジフェニル−１−オキソ−アセチル）カリウム塩）を挙げることができる。  
サリチル酸誘導体の金属塩（Ａ）とベンジル酸誘導体の金属塩（Ｂ）の質量比（Ａ／Ｂ）は、１未満である。Ａ／Ｂが１を越えると、ゴーストが発生してしまい、好ましくない。
【００２０】
本発明の第１の実施形態に係る電子写真用トナーは、ドクターブレードの弾性現像ローラへの押当て圧が０．１〜０．２ＭＰａであり、かつ曲げ角が６０〜１００°である現像装置に使用して、その効果を発揮することができる。
【００２１】
なお、ドクターブレードの先端部分（現像ローラに押当てられている部分）は曲げられており、曲げ角とは、ドクターブレードの本体部分と、曲げられた先端部分とのなす角度をいう。
【００２２】
本発明の第２の実施形態に係る電子写真用トナーは、ポリエステル樹脂を主成分とする結着樹脂、着色剤及び帯電制御剤を含有する。帯電制御剤は、ベンジル酸誘導体の金属塩とモノアゾ誘導体染料の混合物から構成される。
【００２３】
ベンジル酸誘導体の金属塩は、例えば上記式（２）により表される化合物であり、その具体例として、ＬＲ−１４７（商品名：日本カーリット社製／ホロビス（１，１−ジフェニル−１−オキソ−アセチル）カリウム塩）を挙げることができる。  
モノアゾ誘導体染料サリチル酸誘導体の金属塩は、例えば下記式（３）により表される化合物である。
【化３】
2007079272.tif 000005
【００２４】
（式中、Ｘは水素原子、Ｃｌ、Ｂｒ、ＳＯ２ＮＨ２、ＳＯ２ＣＨ３、ＳＯ２Ｃ２Ｈ５を示し、Ｍ３は、鉄又はクロムを示し、Ｙはアルカリ金属又は脂肪族アンモニウムイオンを示す。）
このようなモノアゾ誘導体染料の具体例として、Ｔ−７７（商品名：保土谷化学社製／４−（５−クロロ−２−ヒドロキシフェニルアゾ）−３−ヒドロキシ−２−ナフトアニリド  １：２  鉄（III）錯塩）を挙げることができる。
【００２５】
ベンジル酸誘導体の金属塩（Ｂ）とモノアゾ誘導体染料（Ｃ）の質量比（Ｂ／Ｃ）は、１．２５未満である。Ｂ／Ｃが１．２５以上では、ゴーストが発生してしまい、好ましくない。
【００２６】
本発明の第２の実施形態に係る電子写真用トナーは、ドクターブレードの弾性現像ローラへの押当て圧が０．１〜０．２ＭＰａであり、かつ曲げ角が６０〜１００°である現像装置に使用して、その効果を発揮することができる。
【００２７】
次に、以上説明した本発明の第１及び第２の実施形態に係る電子写真用トナーをそれぞれ用いて優れた効果を発揮する、本発明の第３の実施形態に係る現像装置について、図面を参照して説明する。
【００２８】
図１は、本発明の第３の実施形態に係る現像装置の主要部を模式的に示す側断面図である。図１に示す現像装置１は、カラー画像形成装置に着脱自在であり、ドラムユニットとともに一つの画像形成ユニットを構成する現像ユニットとされている。現像装置１は、トナーホッパーを兼ねる匡体１１を備え、その匡体１１の下部開口に導電性ゴムローラからなる現像ローラ２を回転可能に保持し、匡体１１の内部には、トナー１２を収容し、このトナー１２に埋没するように配設されたトナー攪拌部材１３を備えている。
【００２９】
また、現像装置１の最下部には、スポンジ体から成る供給ローラ１４が現像ローラ２に圧接して配置されている。現像ローラ２には、その斜め右上周面に圧接して金属製の板バネ状のドクターブレード１５が配設され、下部周面に当接して現像部掬いシート（導電性規制シート）１６が配設されている。この現像部掬いシート１６には、バイアス電源２１を含む後述する導電性規制シートバイアス手段が設けられている。ドクターブレード１５の両側部には、匡体１１開口部の内部と外部を隔絶してトナー１２の漏出を防止するための封止部材１７が配設されている。
【００３０】
ところで、感光体ドラム３への現像を終った後の現像ローラ２周面上に残留する非現像部分のトナー１２を、現像メモリの解消のために匡体１１内で掻き落とすために必要とされる供給ローラ１４の摺擦力は、トナー１２の現像ローラ２への付着力によって異なる。すなわち、付着力の強いトナーに対しては強い摺擦力を必要とするが、付着力の弱いトナーに対しては弱い摺擦力で間に合う。このトナー１２の現像ローラ２への付着力は、略トナー１２の帯電能力によって決定されるといってよい。すなわち、摩擦帯電量の小さいものほど付着力が弱く、したがって現像ローラ２から掻き落とし易い。
【００３１】
しかしながら、トナー１２の摩擦帯電量は、現像時に生じ、不具合となる非画像部分への付着現像（以下、感光体カブリという）と密接な関係を有しており、帯電量の少ないトナーほど感光体カブリを発生させ易い。したがって、このような感光体カブリを生じさせないためには、トナー１２の摩擦帯電量を高くする必要がある。そして、トナー１２の摩擦帯電量を高くすると現像ローラ２への付着力が増すから、供給ローラ１４に強い摺擦力を与える必要が生じてくる。
【００３２】
このような強い摺擦力で長時間の回転を繰り返すと、トナーの帯電能力の低下等のトナー特性の劣化を引き起こすので好ましくない。例えば、帯電量が低下すると、上述した感光体カブリが発生する。
【００３３】
本発明の第３の実施形態に係る現像装置においては、上述した本発明の第１及び第２の実施形態に係るトナーをそれぞれ用いるとともに、ドクターブレード１５の現像ローラ２への押当て圧を０．１〜０．２ＭＰａとし、かつ曲げ角を６０〜１００°としている。このような条件の現像装置において、上述した本発明の第１及び第２の実施形態に係るトナーをそれぞれ用いることにより、カブリ及びゴーストを発生することなく、高品質の画像形成を行うことができる。
【００３４】
本発明の第１実施形態に係るトナーを用い、ドクターブレードの弾性現像ローラへの押当て圧が０．１ＭＰａ未満の場合、０．２ＭＰａを越える場合のいずれの場合においても、ゴーストが発生し、曲げ角が６０°未満の場合にはカブリが発生し、１００°を越える場合には、ゴーストが発生してしまう。
【００３５】
また、本発明の第２実施形態に係るトナーを用い、ドクターブレードの弾性現像ローラへの押当て圧が０．１ＭＰａ未満の場合にはカブリが発生し、０．２ＭＰａを越える場合にはゴーストが発生し、曲げ角が６０°未満の場合にはカブリが発生し、１００°を越える場合には、ゴーストが発生してしまう。
【００３６】
なお、図１に示す現像装置では、現像ローラ２を、芯金とこの芯金を取り巻く円筒状の半導電性（１０６  Ωｃｍ）のウレタンゴムとで形成し、芯金には「−２５０Ｖ」の現像バイアスをバイアス電源１８から印加している。また、供給ローラ１４を、芯金とこの芯金を取り巻く円筒状の半導電性（１０６  Ωｃｍ）のウレタンスポンジとで構成し、芯金には「−５００Ｖ」の供給バイアスをバイアス電源１９から印加している。
【００３７】
更に、ドクターブレード１５にも上記バイアス電源１９から「−５００Ｖ」のドクターバイアスを印加する。そして、供給ローラ１４の上流側に位置する現像部掬いシート１６を導電性部材（１０３Ωｃｍ）で構成して、これに０Ｖ（０ボルト）から現像ローラ２の現像バイアス電圧までの範囲のシートバイアス電圧をバイアス電源２１により印加するようにしている。
【００３８】
このように、現像部掬いシート１６を導電性部材で構成して、これに０Ｖから現像ローラ２の現像バイアス電圧までの範囲のシートバイアス電圧を印加するのは、現像ローラ２上に付着するトナー１２の電荷を減少させるためである。これにより、供給ローラ１４による弱い摺擦力によっても、容易に現像ローラ２上に付着して戻ってきた非現像部分のトナーを掻き取ることができるようにしている。
【００３９】
図１に示す現像装置１においては、便宜上、上記現像ローラ２への現像バイアス電圧の印加をバイアス電源１８により行い、上記現像部掬いシート１６へのシートバイアス電圧の印加をバイアス電源２１により個別に行う例で説明しているが、電源はこのように個別に設ける必要はない。すなわち、本発明における実際の現像ユニット構成では、例えばユニット内に抵抗素子を含む分圧回路を備え、装置本体の共通バイアス電源により現像ローラ２と現像部掬いシート１６の各々に分圧されたバイアス電圧を印加するようにしている。
【００４０】
以上説明した本発明の第３の実施形態に係る現像装置により、カブリ及びゴーストを発生することなく、高品質の画像形成を行うことができる。
【００４１】
以下、本発明の実施例及び比較例を示し、本発明についてより具体的に説明する。  
実施例１〜５、比較例１〜６
架橋ポリエステル樹脂（軟化点１４１℃、ガラス転移点６２℃）９３．２５質量％、着色剤（Ｃ．Ｉピグメントレッド  ５７：１）３．０質量％、離型剤（ビスコール６６０Ｐ：三洋化成社製）３．０質量％、帯電制御剤１（Ｅ−８４：オリエント化学工業社製）０．２５質量％、及び帯電制御剤２（ＬＲ−１４７：日本カーリット社製）０．５０質量％を、ヘンシェルミキサー（三井鉱山社製）にて混合し、二軸押出混練機により溶融混練した。
【００４２】
次に、溶融混練物を冷却し、衝突板式粉砕機（日本ニューマチック工業社製「ＩＤＳ−２」）にて質量平均粒径８．８μｍに粉砕して、さらに分級機（日本ニューマチック工業社製「ＤＳＸ−２」で分級して、平均粒径９．０μｍの着色微粒子を得た。
【００４３】
次いで、この着色微粒子１００質量部に疎水性シリカ（日本アエロジル社製「Ｒ９７２」）１質量部を加えてヘンシェルミキサーで混合し、マゼンタ色トナーを得た。
【００４４】
以上と同様にして、帯電制御剤１（Ｅ−８４）と帯電制御剤２（ＬＲ−１４７）の量及びその質量比を変えて、マゼンタ色トナーを得た。
【００４５】
これらのトナーについて、カラープリンター「スピーディア：Ｎ５−５３００」（カシオ計算機製）により、ドクターブレードの押当て圧及び曲げ角を変えて、印刷試験を行い、カブリ及びゴーストについて目視で評価した。その結果を下記表１に示す。
【００４６】
カブリ及びゴーストの評価基準は下記の通りである。
【００４７】
カブリ
○：カブリが認められる。
【００４８】
△：ややカブリがある。
【００４９】
×：明らかにカブリがある。
【００５０】
ゴースト
ゴーストとは、現像ローラの周期内で先の画像が残像のように再度印字されることを言う。ゴーストの評価は、所定の文字チャートを印字し、印字方向の下流側の非印字部に先の文字が印字されるかどうかを以下の基準により目視で評価した。
【００５１】
○：ゴーストは発生していない。
【００５２】
△：軽微なゴーストが発生している。
【００５３】
×：ゴーストが発生し、実用上好ましくない。
【表１】
2007079272.tif 000006
【００５４】
上記表１より、帯電制御剤１（Ｅ−８４）と帯電制御剤２（ＬＲ−１４７）の質量比が１未満のトナーを用い、ドクターブレードの現像ローラへの押当て圧を０．１〜０．２ＭＰａとし、かつ曲げ角を６０〜１００°とした実施例１〜５に係るトナー及び画像形成装置では、いずれもカブリ及びゴーストが発生せず、優れた帯電特性を示すことがわかる。
【００５５】
これに対し、帯電制御剤１（Ｅ−８４）と帯電制御剤２（ＬＲ−１４７）の質量比が１以上では、カブリがあり（比較例１）、ゴーストが発生している（比較例２）。また、ドクターブレードの現像ローラへの押当て圧が０．１ＭＰａ未満の場合（比較例３）、及び０．２ＭＰａを越える場合（比較例４）は、ゴーストが発生している。また、ドクターブレードの現曲げ角が６０°未満（比較例比較例５）ではカブリが発生し、１００°を越える（比較例６）とゴーストが発生している。
【００５６】
実施例６〜１２、比較例７〜１１
架橋ポリエステル樹脂（軟化点１４１℃、ガラス転移点６２℃）９３．２５質量％、カーボンブラック（ＭＯＧＵＬ  Ｌ：キャボット社製）３．０質量％、離型剤（ビスコール６６０Ｐ：三洋化成社製）３．０質量％、帯電制御剤３（ＬＲ−１４７：日本カーリット社製）０．１０質量％、及び帯電制御剤４（Ｔ−７７：保土谷化学社製）１．００質量％を、ヘンシェルミキサー（三井鉱山社製）にて混合し、二軸押出混練機により溶融混練した。
【００５７】
次に、溶融混練物を冷却し、衝突板式粉砕機（日本ニューマチック工業社製「ＩＤＳ−２」）にて質量平均粒径８．８μｍに粉砕して、さらに分級機（日本ニューマチック工業社製「ＤＳＸ−２」で分級して、平均粒径９．０μｍの着色微粒子を得た。
【００５８】
次いで、この着色微粒子１００質量部に疎水性シリカ（日本アエロジル社製「Ｒ９７２」）１質量部を加えてヘンシェルミキサーで混合し、黒色トナーを得た。
【００５９】
以上と同様にして、帯電制御剤３（ＬＲ−１４７）と帯電制御剤４（Ｔ−７７）の量及びその質量比を変えて、黒色トナーを得た。
【００６０】
これらのトナーについて、カラープリンター「スピーディア：Ｎ５−５３００」（カシオ計算機製）により、ドクターブレードの押当て圧及び曲げ角を変えて、印刷試験を行い、カブリ及びゴーストについて目視で評価した。その結果を下記表２に示す。
【表２】
2007079272.tif 000007
【００６１】
上記表２より、帯電制御剤３（ＬＲ−１４７）と帯電制御剤４（Ｔ−７７）の質量比が１．２５未満のトナーを用い、ドクターブレードの現像ローラへの押当て圧を０．１〜０．２ＭＰａとし、かつ曲げ角を６０〜１００°とした実施例６〜１２に係るトナー及び画像形成装置では、いずれもカブリ及びゴーストが発生せず、優れた帯電特性を示すことがわかる。
【００６２】
これに対し、帯電制御剤３（ＬＲ−１４７）と帯電制御剤４（Ｔ−７７）の質量比が１．２５以上（比較例７）では、ゴーストが発生している。また、ドクターブレードの現像ローラへの押当て圧が０．１ＭＰａ未満の場合（比較例８）にはカブリが発生し、０．２ＭＰａを越える場合（比較例９）は、ゴーストが発生している。また、ドクターブレードの現曲げ角が６０°未満（比較例１０）ではカブリが発生し、１００°を越えると（比較例１１）、ゴーストが発生している。
【図面の簡単な説明】
【００６３】
【図１】本発明の一実施形態に係る現像装置を示す図である。
【符号の説明】
【００６４】
１・・・現像装置、２・・・現像ローラ、３・・・感光体ドラム、１１・・・匡体、１２・・・トナー、１３・・・トナー攪拌部材、１４・・・供給ローラ、１５・・・ドクターブレード、１６・・・現像部掬いシート、１７・・・封止部材、１８，１９，２１・・バイアス電源。
【図１】
2007079272.tif 000008